(57)【要約】【課題】２条の遊技球供給路から供給された遊技球を円滑に送り出すと共に、送り出した遊技球を速やかに一列に整列させる球排出装置を備えた遊技機を提供する。【解決手段】遊技機に設けた球排出装置２０は、第１排出球案内路２４と第２排出球案内路２５からの遊技球を、球受け凹部３６と排出球待機凸部３６の配設位置を交互に変えた球送りスプロケット２７を球送り方向へ回転させることで、２条の流路から交互に遊技球を受けて搬送路２９へ送り出し、搬送路２９に設けた右ガイド部材３２と左ガイド部材３３によって、搬送路２９内を移動する遊技球を球受け凹部３６内の中央部へ寄せて行き、右ガイド部材３２と左ガイド部材３３の間に形成した１条幅の流路で整列させて、球検出器３１を設けた排出通路３０へ送り出す。【選択図】図１２
2005087372.tif 000002
【特許請求の範囲】
【請求項１】
遊技球が流下する２条の排出球案内通路と、
上記２条の排出球案内通路の終端部に臨む位置に配設され、ほぼ水平方向の回転軸を有する回転体の外周に、遊技球を受け入れる球処理部を等間隔に複数備える１個の球送りスプロケットと、
上記球送りスプロケットを回転させる電気的駆動源と、
上記球送りスプロケットの球処理部に受け入れられた遊技球が、球送りスプロケットの回転に伴って排出口に向けて搬送されて行く搬送路と、
上記搬送路の排出口に連通し、上記球送りスプロケットにより搬送路の排出口へ搬送された遊技球を排出流下させる１条の排出通路と、
上記球送りスプロケットにより排出された遊技球を１個宛検出可能な球検出手段と、
を具備する球排出装置を備えた遊技機において、
上記球送りスプロケットは、
上記回転体の横幅を、上記２条の排出球案内通路の両方から遊技球を受け入れ可能な横幅に設定し、
上記回転体の外周に設ける球処理部は、回転体の一側方から中央部に遊技球を横移動させ得るサイズの窪み領域を有する球受け凹部と、該球受け凹部の他側方において回転体の径方向に突出させた排出球待機凸部とを備え、
上記排出球案内通路の流下端に至った遊技球を受け入れる球受け凹部と、上記排出球案内通路の流下端に至った遊技球を待機球誘導面で受けて待機させる排出球待機凸部の位置が交互に入れ替わるように、隣接する球処理部における球受け凹部と排出球待機凸部との形成位置を設定することで、上記回転体が球送り方向へ回転することに伴って、一方の排出球案内通路の流下端を排出球待機凸部が通過した後は他方の排出球案内通路の流下端を排出球待機凸部が通過するようにし、
上記搬送路は、
上記球送りスプロケットの回転を阻害しない位置で、且つ、球受け凹部に受け入れられた遊技球に当接する位置に、両側方より延出させた一対のガイド部材を備え、
上記一対のガイド部材は、その突出量を搬送路の上流側から下流側へ向ってほぼ均等に増加させた球寄せ縁部を有することで、両ガイド部材間に中央案内領域が形成されるものとし、また、上記中央案内領域の幅が１個の遊技球を安定流下可能な１条幅となる球寄せ縁部の下端に連なる定幅縁部を有することで、両ガイド部材間に１条誘導領域が形成されるものとし、
上記球送りスプロケットの回転に伴って、排出球待機凸部による流下阻止が解かれて球受け凹部へ受け入れられた遊技球を、搬送路に設けたガイド部材による位置規制で横移動させつつ中央部へ誘導し、搬送路内で１条に整列させた遊技球を排出通路へ導くようにしたことを特徴とする遊技機。
【請求項２】
上記搬送路内に設けたガイド部材の球寄せ縁部の下端は、球送りスプロケットの回転軸配設位置を通る仮想平面上に設定したことを特徴とする請求項１に記載の遊技機。
【請求項３】
上記搬送路の排出口は、球送りスプロケットにおける外周の回転範囲下端部を通る仮想平面上に設定し、該搬送路内の１条誘導領域に上記球検出手段を設けたことを特徴とする請求項２に記載の遊技機。
【請求項４】
上記排出球案内通路の下流部における上記球送りスプロケットの球送り側とは反対側の反球送り側壁は、上記球送りスプロケットの球送り方向回転により排出球待機凸部による流下阻止が解かれて球受け凹部へ受け入れられた遊技球の反球送り側最突出部を通る仮想鉛直面より、後続の遊技球の反球送り側最突出部を通る仮想鉛直面が球送り側に位置するように、球送り側へ傾斜させたことを特徴とする請求項１〜請求項３の何れか１項に記載の遊技機。
【請求項５】
上記球送りスプロケットの球受け凹部には、球送り方向の中央部において窪み領域が膨出する球寄せ縁部を形成したことを特徴とする請求項１〜請求項４の何れか１項に記載の遊技機。
【請求項６】
上記球送りスプロケットの排出球待機凸部における待機球誘導面は、球送り側の前端で最も突出し、反球送り方向にかけて突出量を徐々に少なくして、最も突出量の少ない後端で後続の球処理部における球受け凹部に連なるようにしたことを特徴とする請求項１〜請求項５の何れか１項に記載の遊技機。
【発明の詳細な説明】
【技術分野】
【０００１】
本発明は、遊技球が流下する２条の排出球案内通路と、上記２条の排出球案内通路の終端部に臨む位置に配設され、ほぼ水平方向の回転軸を有する回転体の外周に、遊技球を受け入れる球処理部を等間隔に複数備える１個の球送りスプロケットと、上記球送りスプロケットを回転させる電気的駆動源と、上記球送りスプロケットの球処理部に受け入れられた遊技球が、球送りスプロケットの回転に伴って排出口に向けて搬送されて行く搬送路と、上記搬送路の排出口に連通し、上記球送りスプロケットにより搬送路の排出口へ搬送された遊技球を排出流下させる１条の排出通路と、上記球送りスプロケットにより排出された遊技球を１個宛検出可能な球検出手段と、を具備する球排出装置を備えた遊技機に関するものである。
【背景技術】
【０００２】
従来より、パチンコ遊技を行える遊技機には、遊技のためのパチンコ球を遊技者に貸し出したり、各種入賞口への入賞に対する賞として遊技者に付与する賞球を排出するため、球排出装置が設けられ、この球排出装置から排出された遊技球は、遊技機前面の球供給皿（もしくは球供給皿下方の球貯留皿）へ導かれるようになっている。また、貸球や賞球の排出が滞ることの無いよう迅速な球排出動作を要求される球排出装置に、２条の球供給路から別々に遊技球を供給し、両方の球供給路を使って所定数の遊技球を速やかに排出する構造が主流となっている。なお、限られたスペースしかない遊技機には、３条以上の球供給路を設けて球排出装置への球供給を行うことは現実的ではないし、球排出装置の構造も複雑で高価になることから、上記のように球供給路を２条としたものが主流なのである。
【０００３】
また、２条の球供給路から別々に遊技球を排出する場合、排出球数を検出するための排出球検出器を別々に設けると、コスト増になってしまうため、球排出装置から排出された遊技球を整列させて球排出路を通過させ、この排出路を一列になって通過する排出球を一つの排出球検出器により一括して検出する構造も提案されている。
【０００４】
しかし、排出球を一列に整列させて一つの球検出器で検出させる構造の場合、球排出装置から排出された遊技球を一列に整列させるガイド部を設けなければならず、球排出路がこのガイド部を遊技球が通過する際に、別の排出路から出て来た遊技球がぶつかって円滑な球流下が行えなくなったり球詰まりを起こしたりする可能性がある。また、遊技球を整列させるためのガイド部を設けることで、排出球の流下経路が長くなるため、球排出動作から実際の遊技球排出までのタイムラグが起こり易いという問題もあった。このような不具合を解消するために、球排出装置の中に遊技球を一列に整列させる機能を設けた球排出装置（パチンコ球の払出装置）も提案されている（特許文献１参照）。
【０００５】
【特許文献１】特開２０００−１３５３５６
【０００６】
上記特許文献１に記載されている球排出装置は、２つの回転体に夫々球載置面を設けると共に、各回転体に設ける球載置面の位置をずらすことで、２つの回転体を一体的に回転させると、各回転体から遊技球が交互に送り出されるようにし、且つ、球載置面から送り出された遊技球を中央よりに収斂させるガイド部を排出通路に設け、払出装置の排出口から１個宛て排出するようにしたものである。
【０００７】
しかしながら、特許文献１に記載されている球排出装置では、夫々の回転体によって送り出された遊技球を中央よりに収斂させるガイド部を球排出装置内に設ける必要があるため、排出通路（回転体による遊技球の送り出し位置から排出口までの通路）をある程度長くせざるを得ず、結果的に、球排出装置のサイズが大きくなってしまう。
【０００８】
加えて、特許文献１に記載されている球排出装置では、排出通路下端の排出口から球排出装置外へ排出された遊技球を検出するための球検出器を別途設ける必要があるため、排出球の流下経路を十分に短縮できているとは言えず、球排出動作から実際の遊技球排出までのタイムラグが起こり易いという問題は、依然、解決されていない。
【発明の開示】
【発明が解決しようとする課題】
【０００９】
上記問題点に鑑み、本発明は、２条の遊技球供給路から供給された遊技球を円滑に送り出すことができると共に、送り出した遊技球を速やかに一列に整列させることができ、しかも、排出球の流下経路を十分短くすることが可能な球排出装置を備えた遊技機の提供を目的とする。
【課題を解決するための手段】
【００１０】
上記の課題を解決するために、請求項１に係る発明は、遊技球が流下する２条の排出球案内通路と、上記２条の排出球案内通路の終端部に臨む位置に配設され、ほぼ水平方向の回転軸を有する回転体の外周に、遊技球を受け入れる球処理部を等間隔に複数備える１個の球送りスプロケットと、上記球送りスプロケットを回転させる電気的駆動源と、上記球送りスプロケットの球処理部に受け入れられた遊技球が、球送りスプロケットの回転に伴って排出口に向けて搬送されて行く搬送路と、上記搬送路の排出口に連通し、上記球送りスプロケットにより搬送路の排出口へ搬送された遊技球を排出流下させる１条の排出通路と、上記球送りスプロケットにより排出された遊技球を１個宛検出可能な球検出手段と、を具備する球排出装置を備えた遊技機において、上記球送りスプロケットは、上記回転体の横幅を、上記２条の排出球案内通路の両方から遊技球を受け入れ可能な横幅に設定し、上記回転体の外周に設ける球処理部は、回転体の一側方から中央部に遊技球を横移動させ得るサイズの窪み領域を有する球受け凹部と、該球受け凹部の他側方において回転体の径方向に突出させた排出球待機凸部とを備え、上記排出球案内通路の流下端に至った遊技球を受け入れる球受け凹部と、上記排出球案内通路の流下端に至った遊技球を待機球誘導面で受けて待機させる排出球待機凸部の位置が交互に入れ替わるように、隣接する球処理部における球受け凹部と排出球待機凸部との形成位置を設定することで、上記回転体が球送り方向へ回転することに伴って、一方の排出球案内通路の流下端を排出球待機凸部が通過した後は他方の排出球案内通路の流下端を排出球待機凸部が通過するようにし、上記搬送路は、上記球送りスプロケットの回転を阻害しない位置で、且つ、球受け凹部に受け入れられた遊技球に当接する位置に、両側方より延出させた一対のガイド部材を備え、上記一対のガイド部材は、その突出量を搬送路の上流側から下流側へ向ってほぼ均等に増加させた球寄せ縁部を有することで、両ガイド部材間に中央案内領域が形成されるものとし、また、上記中央案内領域の幅が１個の遊技球を安定流下可能な１条幅となる球寄せ縁部の下端に連なる定幅縁部を有することで、両ガイド部材間に１条誘導領域が形成されるものとし、上記球送りスプロケットの回転に伴って、排出球待機凸部による流下阻止が解かれて球受け凹部へ受け入れられた遊技球を、搬送路に設けたガイド部材による位置規制で横移動させつつ中央部へ誘導し、搬送路内で１条に整列させた遊技球を排出通路へ導くようにしたことを特徴とする。
【００１１】
また、請求項２に係る発明は、上記請求項１に係る遊技機において、上記搬送路内に設けたガイド部材の球寄せ縁部の下端は、球送りスプロケットの回転軸配設位置を通る仮想平面上に設定したことを特徴とする。
【００１２】
また、請求項３に係る発明は、上記請求項２に記載の遊技機において、上記搬送路の排出口は、球送りスプロケットにおける外周の回転範囲下端部を通る仮想平面上に設定し、該搬送路内の１条誘導領域に上記球検出手段を設けたことを特徴とする。
【００１３】
また、請求項４に係る発明は、上記請求項１〜請求項３の何れか１項に記載の遊技機において、上記排出球案内通路の下流部における上記球送りスプロケットの球送り側とは反対側の反球送り側壁は、上記球送りスプロケットの球送り方向回転により排出球待機凸部による流下阻止が解かれて球受け凹部へ受け入れられた遊技球の反球送り側最突出部を通る仮想鉛直面より、後続の遊技球の反球送り側最突出部を通る仮想鉛直面が球送り側に位置するように、球送り側へ傾斜させたことを特徴とする。
【００１４】
また、請求項５に係る発明は、上記請求項１〜請求項４の何れか１項に記載の遊技機において、上記球送りスプロケットの球受け凹部には、球送り方向の中央部において窪み領域が膨出する球寄せ縁部を形成したことを特徴とする。
【００１５】
また、請求項６に係る発明は、上記請求項１〜請求項５の何れか１項に記載の遊技機において、上記球送りスプロケットの排出球待機凸部における待機球誘導面は、球送り側の前端で最も突出し、反球送り方向にかけて突出量を徐々に少なくして、最も突出量の少ない後端で後続の球処理部における球受け凹部に連なるようにしたことを特徴とする。
【発明の効果】
【００１６】
請求項１に係る遊技機によれば、排出球案内通路の流下端に至った遊技球を受け入れる球受け凹部と、上記排出球案内通路の流下端に至った遊技球を待機球誘導面で受けて待機させる排出球待機凸部の位置が交互に入れ替わるように、隣接する球処理部における球受け凹部と排出球待機凸部との形成位置を設定することで、球送りスプロケットが球送り方向へ回転することに伴って、一方の排出球案内通路の流下端を排出球待機凸部が通過した後は他方の排出球案内通路の流下端を排出球待機凸部が通過することとなり、両方の排出球案内通路から交互に球受けスプロケットの球処理部へ遊技球を受け入れることができ、球送りスプロケットの回転に伴って排出口に向けて搬送されて行く搬送路には、中央案内領域と１条誘導領域を形成する一対のガイド部材を設けることで、球送りスプロケットの回転に伴って、球処理部の球受け凹部へ受け入れられた遊技球が、ガイド部材による位置規制で横移動させられつつ中央部へ誘導され、搬送路内で１条に整列させた後、排出通路へ導かれる。
【００１７】
すなわち、球送りスプロケットで２条の排出球案内通路から交互に受け入れて搬送路から２条のまま送り出して、その後に遊技球を一列に整列させる球排出装置を備えた従来の遊技機とは異なり、２条の排出球案内通路から個別に球送りスプロケットに受け入れた遊技球を、搬送路内通過中に球処理部の中央へ寄せて行き、一列に整列された遊技球を搬送路の排出口から排出通路へ送り出すことができるので、２条の排出球案内路から供給された遊技球を円滑に送り出すことができると共に、送り出した遊技球を速やかに一列に整列させて、排出球の流下経路を十分短くすることが可能となる。
【００１８】
また、請求項２に係る遊技機によれば、搬送路内に設けたガイド部材の球寄せ縁部の下端を、球送りスプロケットの回転軸配設位置を通る仮想平面上に設定したので、排出球案内通路から遊技球を受け入れた球処理部が球送り方向の水平位置まで送り出したほぼ９０゜回転した時に、搬送路におけるガイド部材の球寄せ縁部によって球処理部の遊技球は１条誘導領域まで案内されることとなり、ここより下流の搬送路では遊技球が一列になって流下する。すなわち、搬送路の上流側で遊技球を速やかに整列させることができるので、搬送路の下流側を短くするなど、有効利用が期せる。
【００１９】
また、請求項３に係る遊技機によれば、搬送路の排出口を、球送りスプロケットにおける外周の回転範囲下端部を通る仮想平面上に設定し、該搬送路内の１条誘導領域に上記球検出手段を設けたので、球送りスプロケットで搬送された遊技球を搬送路内ですぐに検出できるので、球送り動作の開始から排出球検出までのタイムラグを短くでき、しかも、球処理部で送り出される遊技球を１個宛正確に検出できる。また、球排出装置内に球検出手段を設けても、コンパクトに構成することができ、排出球の流下経路を一層効果的に短くできる。
【００２０】
また、請求項４に係る遊技機によれば、排出球案内通路の下流部における上記球送りスプロケットの球送り側とは反対側の反球送り側壁を、上記球送りスプロケットの球送り方向回転により排出球待機凸部による流下阻止が解かれて球受け凹部へ受け入れられた遊技球の反球送り側最突出部を通る仮想鉛直面より、後続の遊技球の反球送り側最突出部を通る仮想鉛直面が球送り側に位置するように、球送り側へ傾斜させたので、球受け凹部に受け入れられた遊技球に後続の遊技球が当接する接面が、球送り方向へ下降傾斜することとなり、球受け凹部に受け入れられた遊技球には、後続の遊技球から反球送り方向への押圧力が作用することとなる。これにより、球受け凹部に受け入れられた遊技球は、必ず球案内通路の下流部における反球送り側壁に押しつけられた位置で安定に停止し、球送りスプロケットが球送り方向へ回転してしまうことはない。よって、球送りスプロケットに回転規制手段等を設けなくても、球送りスプロケットの安定停止位置を保持できる。
【００２１】
また、請求項５に係る遊技機によれば、球送りスプロケットの球受け凹部には、球送り方向の中央部において窪み領域が膨出する球寄せ縁部を形成したので、球案内通路から球処理部の球受け凹部に遊技球を受け入れた状態で球送りスプロケットが球送り方向へ回転してゆくと、球受け凹部内の遊技球は自重により球寄せ縁部に沿って中央へよって行くので、搬送路のガイド部材による位置規制と相俟って、球送りスプロケットで搬送中の遊技球を一層円滑に中央へ寄せることが可能となる。
【００２２】
また、請求項６に係る遊技機によれば、上記球送りスプロケットの排出球待機凸部における待機球誘導面は、球送り側の前端で最も突出し、反球送り方向にかけて突出量を徐々に少なくして、最も突出量の少ない後端で後続の球処理部における球受け凹部に連なるようにしたので、球処理部の球受け凹部に受け入れられた遊技球が球送りスプロケットの回転に伴って送り出された後に、後続の遊技球が球案内通路の流下端から排出球待機凸部へ送り出された際には、最も突出した待機球誘導面の前端で受けることとなり、排出球待機凸部により待機させられた遊技球が球送りスプロケットの回転に伴って球受け凹部へ受け入れられる際には、最も低い待機球誘導面の後端から球受け凹部へ入ることとなる。従って、排出球案内通路から遊技球が球処理部へ供給される際に生ずる衝撃を効果的に抑制できる。
【発明を実施するための最良の形態】
【００２３】
次に、本発明に係る遊技機の実施形態を添付図面に基づき詳細に説明する。
【００２４】
図１および図２に示すのは、パチンコ遊技を行える遊技機１の外観斜視図で、機枠２の前面側に額縁状の前面枠３を開閉可能に設け、該前面枠３に開設した窓部の前面側にガラス枠４と開閉パネル５を開閉可能に軸着し、窓部の背面側には窓部を後方から塞ぐようにして遊技盤（図示省略）を装着し、前面枠３の下部前面側に球受皿６と発射操作ハンドル７などを取り付けてある。また、開閉パネル５には遊技球貯留手段として球供給皿８を設け、その球貯留凹部内に臨ませて球排出口９を開設した。
【００２５】
前面枠３の裏側には、遊技機としての諸機能が設けられており、遊技盤に設けられた各種入賞口へ入賞して回収された遊技球や何れの入賞口にも入賞せずにアウト口から回収された遊技球を機外の回収球搬送路へ導く遊技球回収機構、遊技盤の入賞装置の動作制御などを行うことで遊技の進行を統括的に制御する遊技制御装置、遊技制御装置からの指令に基づいて遊技盤に設けられた中央表示装置の表示制御を行う画像表示制御装置、遊技結果として遊技者に与えられる賞球やプリペイドカード等を用いた遊技球の貸出制御を行う排出制御装置などがある。
【００２６】
また、図２に示すように、前枠３の裏面側上部から左側部にかけてＬ字状に裏機構盤本体１０を設けてある。この裏機構盤本体１０は、島設備の球供給機構から排出用の遊技球を受け取って、上記排出制御装置からの指令に基づく排出動作を行い、球排出口９から球供給皿８（もしくは、球受皿６）へ実際に遊技球を排出させる一連の機能を集約的に設けたものである。
【００２７】
裏機構盤１０の詳細は、図３および図４に示すように、前面枠３の裏面に取り付けられる上部裏機構盤本体１１と側部裏機構盤本体１２に、種々のパーツを組み合わせたものである。
【００２８】
上部裏機構盤本体１１の裏面側に、中間構成部材１３と後構成部材１４を装着することで、遊技球を貯留するための球貯留タンク１１ａと、該球貯留タンク１１ａの球落下口の下方から僅かに下り傾斜した誘導樋１１ｂが形成される。誘導樋１１ｂの下流側では、後構成部材１４に設けた球流路区画片１４ａによって、球流路が２条に制限される。また、裏機構盤本体１１へ揺動自在に球均し部材１５を設けることで、誘導樋１１ｂを流下する遊技球が上下に重ならないよう平坦に均して行き、下流側への球流下を円滑にする。また、裏機構盤本体１１の裏面側左上方には外部情報端子板１６を設け、これを介して当該遊技機１で収集された情報を外部へ導出するのである。
【００２９】
一方、側部裏機構盤本体１２の裏面側は背面カバー１７で閉塞され、その中に必要球検知ユニット１８、蓋部材１９および球排出装置２０が収容される。必要球検知ユニット１８は、誘導樋１１ｂの流下端で２条に分岐した遊技球列を、第１排出球供給路１８ａと第２排出球供給路１８ｂで受け入れ、第１，第２排出球供給路１８ａ，１８ｂの上流側適所に貯留球不足検出機構１８ｃを設けたものである。上記第１，第２排出球供給路１８ａ，１８ｂ内に必要な球数の遊技球が貯まっていない状態を上記貯留球不足検出機構１８ｃにより検出することで、球排出装置２０へ供給される遊技球の残数が不足するような事態を回避できるのである。球排出装置２０（後に詳述）は、第１，第２排出球供給路１８ａ，１８ｂから供給される遊技球を、夫々別の案内通路（２条の球流路）で受けて、一つの排出通路（１条の球流路）から排出するものである。球排出装置２０の排出通路から排出された遊技球は、側部裏機構盤本体１２の下部に形成した下部流路１２ａを介して、球供給皿８へと導出される。なお、側部裏機構盤本体１２に設けた下部流路１２ａおよび球抜流路１２ｂ（第１，第２排出球供給路１８ａ，１８ｂの途中から抜き出した遊技球を回収するための流路）の背面側開口が、上記蓋部材１９によって閉塞される。
【００３０】
次に、球排出装置２０について説明する。球排出装置２０の外観は、図５に示すように、略箱状のユニット構造で、図６および図７に示すように、右流路形成部材２１、左流路形成部材２２、モータ収容部材２３からなり、その上面には、第１排出球案内通路２４、第２排出球案内通路２５の球受入口が開口する。
【００３１】
右流路形成部材２１の左流路形成部材２２側（図中、左側）には、前側に屈曲した第１案内通路前壁２４ａと第１案内通路後壁２４ｂを設け、左流路形成部材２２の右流路形成部材２１側（図中、右側）には、前側に屈曲した第２案内通路前壁２５ａと第２案内通路後壁２５ｂを設け、案内通路区画部材２６を介在させて右流路形成部材２１と左流路形成部材２２を装着することにより、ほぼ同じ流路構造の第１排出球案内通路２４と第２排出球案内通路２５が区画形成されるのである。
【００３２】
上記のように形成される第１排出球案内通路２４と第２排出球案内通路の終端部に球送りスプロケット２７を臨ませ、電気的駆動源たるパルスモータ２８のほぼ水平な回転軸２８ａを球送りスプロケット２７の回転心たる軸受孔２７ａに装着することで、第１，第２排出球案内通路２４，２５の流下端へ案内された遊技球が球送りスプロケット２７の外周面部に供給されるようにする。上記球送りスプロケット２７は略円筒状の回転体であるが、その具体的構造については後に詳述する。なお、上記パルスモータ２８は止着部２８ｂをビス等で左流路形成部材２２に装着される。
【００３３】
上記球送りスプロケット２７が上方で受け入れた遊技球を後方へ回転させる方向（以下、球送り方向という）へ搬送するための搬送路２９は、右流路形成部材２１の第１案内通路後壁２４ｂの下端に連なる右搬送後壁２９ａと左流路形成部材２２の第２案内通路後壁２５ｂの下端に連なる左搬送後壁２９ｂとからなる搬送後壁と、上記右搬送後壁２９ａの下部において遊技球を安定流下させるに十分な１条幅だけ前側に位置させたほぼ鉛直向きの右搬送前壁２９ｃと上記左搬送後壁２９ｂの下部において遊技球を安定流下させるに十分な１条幅だけ前側に位置させたほぼ鉛直向きの左搬送前壁２９ｄとからなる搬送前壁と、で構成した。
【００３４】
なお、上記搬送路２９において、球送りスプロケット２７によって遊技球が送られる範囲は、球送りスプロケット２７の周面が搬送路２９の前壁と同様の機能を担うので、球送りスプロケット２７から送り出されて自由落下するようになった遊技球の流路を規制する必要のある部位にのみ搬送前壁を設けたのである。また、搬送後壁は、球送りスプロケット２７に受け入れられた遊技球が球送り方向へ回転した時に障害とならないよう後方へ膨出する円弧を描きつつ、下方部において、上記搬送前壁と対応するほぼ鉛直向きに曲折する形状とした。
【００３５】
上記のように搬送前壁と搬送後壁とで形成された搬送路２９の流下端である排出口２９ｅに連なる排出通路３０には球検出器３１を設け、球検出器３１の検出孔３１ａを通過した遊技球が１個宛て検出されるものとしてある。これは、第１排出球案内通路２４と第２排出球案内通路２５から２条の流路で球送りスプロケット２７に案内された遊技球が、球送りスプロケット２７により搬送路２９を経て送り出される間に１条に整列させれてゆき、球検出器３１の検出孔３１ａへスムースに送り出すことができるからである。斯くするために、右流路形成部材２１の右搬送後壁２９ａと右搬送前壁２９ｃとの間には搬送路２９内に突出する板状の右ガイド部材３２を、左流路形成部材２２の左搬送後壁２９ｂと左搬送前壁２９ｄとの間には搬送路２９内に突出する板状の左ガイド部材３３を各々設けて、第１排出球案内通路２４から搬送路２９の右側に供給された遊技球も、第２排出球案内通路２５から搬送路２９の左側に供給された遊技球も、スムースに中央部へ寄せて行くようにした。なお、右ガイド部材３２と左ガイド部材３３の具体的構造については、後に詳述する。
【００３６】
また、上記パルスモータ２８や球検出器３１への電源供給等を中継する中継基板３４は、右流路形成部材２１の後部より突出する基板収容凸部２１ａとモータ収容部材２３の後部より突出する基板収容凸部２３ａとからなる基板収容空部に収容され、着脱自在なコネクタ等を介して排出制御装置や電源装置等と接続される。
【００３７】
ここで、球送りスプロケット２７について詳述する。球送りスプロケット２７は、図９および図１０に示すように、回転体の外周に遊技球を受け入れる球処理部３５を等間隔に偶数（例えば、６個）備えるもので、各球処理部３５は、回転体の一側方から中央部に遊技球を横移動させ得るサイズの窪み領域（本実施形態においては、縦断面が遊技球の球面にほぼ合致した横溝状の窪み）を有する球受け凹部３６と、該球受け凹部３６の他側方において回転体の径方向に突出させた排出球待機凸部３７とからなる。
【００３８】
上述した球処理部３５は、全てが同一の構造ではなく、隣接する球処理部３５における球受け凹部３６と排出球待機凸部３７との形成位置が交互に入れ替わるように、球受け凹部３６と排出球待機凸部３７の並びを変えてある（図９の斜視図を参照）。
【００３９】
例えば、図１１および図１２に示すように、第１，第２排出球案内通路２４，２５の流下端直下に球処理部３５が位置する時、第１排出球案内通路２４から供給された遊技球Ａ１が球受け凹部３６に受け入れられた状態（図１１（ｂ）および図１２参照）で、一方、第２排出球案内通路２５から供給された遊技球Ｂ１は排出球待機凸部３７上に載った状態（図１１（ｃ）および図１２参照）となっているものとする。なお、第１排出球案内通路２４側の遊技球を球受け凹部３６に受け入れると共に第２排出球案内通路２５側の遊技球を排出球待機凸部３７で待機させている球処理部３５の手前の球処理部３５は、第２排出球案内通路２５側から供給された遊技球Ｂ０を球受け凹部３６に受け入れて４５゜程度回転した状態となっており、更にその手前の球処理部３５は、第１排出球案内通路３４側から供給された遊技球Ａ０を自由落下する位置まで送り出した状態となっている。
【００４０】
上記のような状態から、球受けスプロケット２７が球送り方向へ回転すると、球受け凹部３６に受け入れられた遊技球は球受け凹部３６の移動に伴って球送り方向へ移動して行くが、排出球待機凸部３７の待機球誘導面３７ａ上に載った遊技球は第２排出球案内通路２５内に拘束されて（本実施形態においては、第２案内通路後壁２５ｂと左搬送後壁２９ｂの接合部に衝接して）移動せず、待機球誘導面３７ａが滑動して行く。
【００４１】
そして、球送りスプロケット２７の回転に伴う球受け凹部３６の移動により、遊技球Ａ１が球送り方向へ更に移動して行くと、第１排出球案内通路２４内で待機していた後続の遊技球Ａ２が後続の球処理部３５の排出球待機凸部３７に載留状態となり、更に球送りスプロケット２７が回転すると、第２排出球案内通路２５の遊技球Ｂ１が排出球待機凸部３７の待機球誘導面３７ａから後続の球処理部３７の球受け凹部３６へ受け入れられる状態となる。これは、図１１および図１２に示した球処理部３５の状態（遊技球Ａ１が球受け凹部３６に入って、遊技球Ｂ１が排出球待機凸部３７上で待機する状態）と左右逆転した状態（遊技球Ｂ１が球受け凹部３６に入って、遊技球Ａ２が排出球待機凸部３７上で待機する状態）である。
【００４２】
更に、球送りスプロケット２７が回転して行くと、第２排出球案内通路２５側の遊技球Ｂ１が球受け凹部３６に入ったまま送り出され、第１排出球案内通路２４側の遊技球Ａ２が球受け凹部３６に入った状態となる。すなわち、隣接する球処理部３５における球受け凹部３６と排出球待機凸部３７との形成位置が交互に入れ替えわるようにしておくことで、球送りスプロケット２７の回転により、第１排出球案内通路２４から供給された遊技球と第２排出球案内通路２５から供給された遊技球が交互に球送りスプロケット２７によって送り出す事が可能となる。
【００４３】
上記のようにして第１，第２排出球案内通路２４，２５の両方から遊技球を受け入れる球送りスプロケット２７の横幅は、第１，第２排出球案内通路２４，２５の両方から遊技球を受け入れ可能な横幅に設定してあれば良いが、本実施形態においては、コンパクトな構造とするべく、球送りスプロケット２７の両端部が、各々第１，第２排出球案内通路２４，２５から供給される遊技球の重心を受けるに必要十分な幅（図１２のように、第１排出球案内通路２４から供給される遊技球も、第２排出球案内通路２５から供給される遊技球も、球送りスプロケット２７の端部より球径の半分弱がはみ出すぐらいの幅）とした。
【００４４】
なお、球送りスプロケット２７を回転させる電気的駆動源としてパルスモータ２８を用いる場合、パルスによる送り出し位置・停止位置が適切に調整されていることが望ましい。例えば、図１１および図１２のように、第１，第２排出球案内通路２４，２５の何れか一方から供給された遊技球が球受け凹部３６に嵌まり込んだ安定状態となる位置で、パルスモータ２８を励磁した状態で圧着固定することにより、上記のような位置合わせが可能である。
【００４５】
また、球送りスプロケット２７は、パルスモータ２８の回転軸２８ａが圧着される軸受孔２７ａを形成した軸受筒部２７ｂの外周から放射状に６つの支持壁２７ｃを延出させ、球受け凹部３６の凹面構造を形成する６つの窪み状周壁部２７ｄの各内面側中央部と接続することで、各支持壁２７ｃの間に６つの空隙部２７ｅを形成するものとした。球送りスプロケットをこのような肉抜き構造とすることで、回転体としての重量を軽くして回転時の負荷を軽減できると共に、各支持壁２７ｃを各窪み状周壁部２７ｄの内面側中央部に接続することで、第１，第２排出球案内通路２４，２５より供給される遊技球からの押圧力を効果的に受ける受圧構造をも実現できる。
【００４６】
更に、球送りスプロケット２７の球受け凹部３６に受け入れられた遊技球が送り出された後に後続の遊技球を受けることとなる球処理部３５の排出待機凸部３７は、待機球誘導面３７ａの球送り側の前端３７ｂで最も突出し、反球送り方向にかけて突出量を徐々に少なくして、最も突出量の少ない後端３７ｃで後続の球処理部３５における球受け凹部３６に連なる構造とした。すなわち、各球処理部３５…における排出球待機凸部３７の前端３７ｂは、軸心から半径Ｒ１の位置（図１０（ａ）参照）とし、各球処理部３５…における排出球待機凸部３７の後端３７ｃは、軸心から半径Ｒ２（Ｒ１＞Ｒ２）の位置（図１０（ａ）参照）とすることにより、待機球誘導面３７ａは、第１，第２排出球案内通路２４，２５からの遊技球を高位置（軸心から距離Ｒ１の位置）で受け、球送りスプロケット２７の回転に伴って、徐々に低位置（軸心からの距離Ｒ２の位置）まで誘導するのである。
【００４７】
斯くすれば、球処理部３５の球受け凹部３６に受け入れられた遊技球が球送りスプロケット２７の回転に伴って送り出された後に、後続の遊技球が第１，第２排出球案内通路２４，２５の流下端から排出球待機凸部３７へ送り出された際には、待機球誘導面３７ａの最も突出した前端３７ｂで受けることとなり、排出球待機凸部３７の待機球誘導面３７ａに当接して待機させられた遊技球が、球送りスプロケット２７の回転に伴って第１，第２排出球案内通路２４，２５の流下端直下方へ到達した球受け凹部３６へ受け入れられる際には、待機球誘導面３７ａの最も低い後端３７ｃから球受け凹部３６へ入ることとなる。従って、第１，第２排出球案内通路２４，２５から遊技球が球処理部３５へ供給される際に生ずる衝撃（排出待機凸部３７へ遊技球を受ける際の衝撃および球受け凹部３６に遊技球を受ける際の衝撃）を効果的に抑制できる。なお、前端３７ｂから後端３７ｃへ至る待機球誘導面３７ａの曲面構造は特に限定されるものではないが、本実施形態においては、前端３７ｂから後端３７ｃにかけて、その突出量がほぼ均一に減ってゆく滑らかな曲面構造とした。
【００４８】
次に、上述した球送りスプロケット２７の球送り方向への回転によって、第１排出球案内通路２４から供給された遊技球と第２排出球案内通路２５から交互に送り出される遊技球を排出通路３０へ搬送する搬送路２９に設ける右ガイド部材３２と左ガイド部材３３について詳述する。
【００４９】
右ガイド部材３２と左ガイド部材３３は対象な構造とし、上記球送りスプロケット２７の回転を阻害しない位置で、且つ、球受け凹部３６に受け入れられた遊技球に当接する位置に設けてある。このため、本実施形態における右ガイド部材３２および左ガイド部材３３の上流側は、球送りスプロケット２７の最突出の回転軌跡と、球受け凹部３６に受け入れられた遊技球の回転軌跡との間で弧状に突出する構造とし、右ガイド部材３２および左ガイド部材３３の下流側は、それぞれ、右搬送後壁２９ａと右搬送前壁２９ｃとのほぼ中間位置および左搬送後壁２９ｂと左搬送前壁２９ｄとのほぼ中間位置を保つよう直線状に突出する構造とした。
【００５０】
また、右ガイド部材３２および左ガイド部材３３の上流側には、その突出量を搬送路２９の上流側から下流側へ向ってほぼ均等に増加させた右球寄せ縁部３２ａおよび左球寄せ縁部３３ａを形成し（図１２参照）、これら右球寄せ縁部３２ａと左球寄せ縁部３３ａとの間に中央案内領域が形成されるものとした。斯くすることで、第１排出球案内通路２４から球受け凹部３６へ受け入れられた遊技球（球受け凹部３６の右側端から入った遊技球）は、球送りスプロケット２７の回転に伴って、搬送路２９に設けた左ガイド部材３３の左球寄せ縁部３３ａによる位置規制で横移動（右から左へ移動）させられて中央部へ誘導されることとなり、第２排出球案内通路２５から球受け凹部３６へ受け入れられた遊技球（球受け凹部３６の左側端から入った遊技球）は、球送りスプロケット２７の回転に伴って、搬送路２９に設けた右ガイド部材３２の右球寄せ縁部３２ａによる位置規制で横移動（左から右へ移動）させられて中央部へ誘導されることとなる。
【００５１】
更に、右ガイド部材３２および左ガイド部材３３における右球寄せ縁部３２ａと左球寄せ縁部３３ａの下端は、両球寄せ縁部間に形成される中央案内領域の幅が１個の遊技球を安定流下可能な１条幅（流下する遊技球が側壁等に衝接して摺動抵抗が生ずるほど狭くなく、しかも、流下する遊技球の重心がほぼ一定の鉛直線上に位置する程度に流下路が制限される幅）となる位置とし、これら右球寄せ縁部３２ａの下端と左球寄せ縁部３３ａの下端には、右定幅縁部３２ｂと左定幅縁部３３ｂを夫々連なるように設けることで、両定幅縁部間に遊技球を１個通過させるのに適した１条誘導領域が形成されるものとした。斯くすることで、中央案内領域で球受け凹部３６のほぼ中央部へ寄せられた遊技球は、無理なく１条誘導領域へ誘導されて、搬送路２９の排出口２９ｅから排出通路３０へ流下して行き、１個宛て球検出器３１に検出されることとなる。
【００５２】
このように、右ガイド部材３２および左ガイド部材３３を設けることで、中央案内領域と１条誘導領域を有する構成とした搬送路２９は、第１，第２排出球案内通路２４，２５の２つの流路による２条の球流路を１条の球流路に変換する機能を実現できる。
【００５３】
なお、中央案内領域と１条誘導領域の変換位置は、特に限定されるものではないが、本実施形態においては、右ガイド部材３２の球寄せ縁部３２ａの下端（右定幅縁部３２ｂの上端）と左ガイド部材３３の球寄せ縁部３３ａの下端（左定幅縁部３３ｂの上端）を、球送りスプロケット２７の回転軸配設位置（パルスモータ２８の回転軸２８ａの軸心）を通る仮想平面Ｈ上に設定した（図１２および図１３を参照）。斯くすれば、第１，第２排出球案内通路２４，２５から遊技球を受け入れた球処理部３５が球送り方向へほぼ９０゜回転した辺りで、球処理部３５の球受け凹部３６に受け入れられた遊技球を１条誘導領域へ案内することができる。すなわち、搬送路２９における上流側で速やかに１条流路に変換すれば、その下流における１条流路を長くして１条での球流下の安定性を高めたり、或いは、搬送路２９自体の流路長を短くして球排出装置２０のコンパクト化を図ったりでき、種々の応用が可能となる。
【００５４】
また、上述した構造の球排出装置２０においては、球送りスプロケット２７が球送り方向のみへ回転するものでなければならないので、パルスモータ２８を用いる場合には、球送り方向とは逆方向（反球送り方向）へ戻り回転することのないような反転抑止機構を設けておく必要がある。これには、公知既存の反転抑止機構を付加しても良いが、本実施形態においては、第１，第２排出球案内通路２４，２５の壁構造によって、反転抑止機構を簡易に実現している。
【００５５】
図１３に示すように、第１排出球案内通路２４を形成する第１案内通路前壁２４ａ（反球送り側の壁）は、傾斜状の第１案内通路後壁２４ｂと遊技球１個分の幅を隔ててほぼ平行な傾斜状とした傾斜部２４ａ1と、これに連なる屈曲部２４ａ2と、これに連なる垂直部２４ａ3とからなり、球排出装置２０の後側から供給された遊技球を適宜前側へ誘導した後、下流側でその流下方向を縦向きに変えて球送りスプロケット２７へ直上方から落とし込むような流路構造である。なお、第２排出球案内通路２５を形成する第２案内通路前壁２５ａも、同様の傾斜部２５ａ1と屈曲部２５ａ2と垂直部２５ａ3とから成る。
【００５６】
そして、第１排出球案内通路２４における垂直部２４ａ3の高さを適宜に設定することで、球送りスプロケット２７の球受け凹部３５に受け入れられた遊技球の前側（反球送り側）端部が垂直部２４ａ3の壁面に接している時に、後続の遊技球が屈曲部２４ａ2もしくは傾斜部２４ａ1の壁面に接するようにする。すなわち、球送りスプロケット２７の球送り方向回転により排出球待機凸部３７による流下阻止が解かれて球受け凹部３６へ受け入れられた遊技球の反球送り側最突出部を通る仮想鉛直面（実質的に、垂直部２４ａ3の内壁面）より、後続の遊技球の反球送り側最突出部を通る仮想鉛直面が距離Ｓだけ球送り側（後側）に位置させるのである。
【００５７】
斯くすれば、球受け凹部３６に受け入れられた遊技球の重心Ｇと、これに当接する後続の遊技球の重心Ｇを結ぶ線分が垂線と角θを以て交わることとなり、２つの遊技球の接面Ｔは、球送り方向（後側）へ角θだけ下降傾斜する（図１３参照）。すなわち、球受け凹部３６に受け入れられた遊技球には、後続の遊技球から反球送り方向（前側）への押圧力が作用することとなる。これにより、球受け凹部３６に受け入れられた遊技球は、必ず第１，第２排出球案内通路２４，２５の下流部における反球送り側（前側）壁（傾斜部２４ａ3，２５ａ3）の内面に押しつけられた位置で安定に停止し、球送りスプロケット２７が球送り方向（後側）へ回転してしまうことがない。
【００５８】
また、上述した球排出装置２０においては、搬送路２９の流路構造によって、球送りスプロケット２７の球受け凹部３６の中央部へ遊技球を寄せるものとしたが、球送りスプロケットの球受け凹部の構造により、遊技球を中央へ寄せるようにしても良い。
【００５９】
例えば、図１４に示すように、第１回転体３８と第２回転体３９とから構成した球送りスプロケット４０は、第１回転体３８の小窪み領域４１の回転方向側端縁４１ａと大窪み領域４２の回転方向側端縁４２ａを第２回転体３９との接合面側に向って拡大させ、第２回転体３９の小窪み領域４３の回転方向側端縁４３ａと大窪み領域４４の回転方向側端縁４４ａを第１回転体３８との接合面側に向って拡大させ、第１回転体３８の小窪み領域４１と第２回転体大窪み領域４４からなる球受け凹部３６′と第２回転体３９の小窪み領域４３と第１回転体３８の大窪み領域４２からなる球受け凹部３６′を交互に形成したものである。
【００６０】
上記のような球受け凹部３６′を備える球処理部３５′を形成した球送りスプロケット４０においては、第１回転体３８の小窪み領域４１と第２回転体大窪み領域４４からなる球受け凹部３６′も、第２回転体３９の小窪み領域４３と第１回転体３８の大窪み領域４２からなる球受け凹部３６′も、球送り方向の中央部において窪み領域が膨出する球寄せ縁部が形成されるので、球送りスプロケット４０が球送り方向へ回転して、排出球待機凸部３７′から球受け凹部３６′へ入った遊技球は、その窪み構造から、遊技球の自重により球寄せ縁部（第１回転体３８の大窪み領域４２の回転方向側端縁４２ａもしくは第２回転体３９の大窪み領域４４の回転方向側端縁４４ａ）に沿って中央へ寄って行くこととなる。従って、搬送路２９に設けた右ガイド部材３２および左ガイド部材３３による位置規制と相俟って、球送りスプロケット４０で搬送中の遊技球を一層円滑に中央へ寄せることが可能となる。
【００６１】
なお、球送りスプロケット４０のように、球送り方向の中央部において窪み領域が膨出する球寄せ縁部を設けた場合、一体成型が困難であることから、第１回転体３８と第２回転体３９とに分割構成し、例えば、第１回転体３８の装着側端面から突出状に複数設けた取付凸部３８ａ…を第２回転体３９の装着側端面に複数設けた取付凹部３９ａ…に挿通すると共に、第１回転体３８の装着側端面から突出させた軸受筒部３８ｂを第２回転体３９に設けた軸受挿通孔３９ｂに挿通して、一体的に装着するものとした。
【００６２】
また、上述した第１構成例の球排出装置２０においては、搬送路２９の排出口２９ｅを経て排出通路３０へ至った遊技球を、球検出器３１によって検出する構造としたが、球検出器３１の配設位置はこれに限定されるものではない。例えば、図１５に示す第２構成例の球排出装置２０′においては、球送りスプロケット２７における外周の回転範囲下端部（本実施形態においては、球送りスプロケット２７に設けた排出球待機凸部３７における最突出部である前端３７ｂの回転軌跡の最下部）を通る仮想平面Ｈ２上に搬送路２９の排出口２９ｅを設定し、搬送路２９内の１条誘導領域（右ガイド部材３２における右球寄せ縁部３２ａと右定幅縁部３２ｂとの接合点および左ガイド部材３３における左球寄せ縁部３３ａと左定幅縁部３３ｂとの接合点を通る仮想平面Ｈ１から下の領域）に球検出器４５を設けるものとした。
【００６３】
なお、図１５の球排出装置２０′において、上記球排出装置２０と同一の構成には同一符号を付して説明を省略してある。また、本構成例２の球排出装置２０′では、球送りスプロケット２７によって１条誘導領域へ送り出された直後の遊技球を検出することから、球検出器４５として、例えば、発光部と受光部を各々対応させて設けた一対の検出腕部を備える光遮蔽式通過センサを用いた。このような球検出器４５なら、球送りスプロケット２７の障害とならずに、遊技球の通過を１個宛て検出できる。
【００６４】
上記のように、搬送路２９内の１条誘導領域に球検出器４５を設ける構成とすれば、球送りスプロケット２７で搬送された遊技球を搬送路２９内ですぐに検出できるので、球送り動作の開始から排出球検出までのタイムラグを短くでき、しかも、球処理部３５で送り出される遊技球を１個宛て正確に検出できる。また、球排出装置２０′と上述した球排出装置２０を比較すれば明らかなように、球排出装置２０′では、その内部に球検出器４５を設けても、非常にコンパクトに構成することができ、排出球の流下経路を一層効果的に短くできる。
【００６５】
以上本発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【図面の簡単な説明】
【００６６】
【図１】本発明に係る遊技機の前面側斜視図である。
【図２】本発明に係る遊技機の裏面側斜視図である。
【図３】裏機構盤の分解斜視図である。
【図４】裏機構盤の概略断面図である。
【図５】第１構成例の球排出装置の外観斜視図である。
【図６】第１構成例の球排出装置の分解斜視図（右側）である。
【図７】第１構成例の球排出装置の分解斜視図（左側）である。
【図８】第１構成例の球排出装置の内部構造を示す斜視図である。
【図９】球送りスプロケットの外観斜視図である。
【図１０】球送りスプロケットの説明図である。
【図１１】第１構成例の球排出装置の球送り説明図である。
【図１２】第１構成例の球排出装置における球流路に沿った概略断面図である。
【図１３】第１構成例の球排出装置における逆回転防止構造の説明図である。
【図１４】第１回転体と第２回転体から構成した球送りスプロケットの説明図である。
【図１５】第２構成例の球排出装置のおける流路の概略断面図である。
【符号の説明】
【００６７】
１    遊技機
２０    球排出装置
２４    第１排出球案内通路
２５    第２排出球案内通路
２７    球送りスプロケット
２８    パルスモータ
２９    搬送路
２９ｅ  排出口
３０    排出通路
３１    球検出器
３２    右ガイド部材
３２ａ  右球寄せ縁部
３２ｂ  右定幅縁部
３３    左ガイド部材
３３ａ  左球寄せ縁部
３３ｂ  左定幅縁部
３５    球処理部
３６    球受け凹部
３７    排出球待機凸部
【図１】
2005087372.tif 000003
【図２】
2005087372.tif 000004
【図３】
2005087372.tif 000005
【図４】
2005087372.tif 000006
【図５】
2005087372.tif 000007
【図６】
2005087372.tif 000008
【図７】
2005087372.tif 000009
【図８】
2005087372.tif 000010
【図９】
2005087372.tif 000011
【図１０】
2005087372.tif 000012
【図１１】
2005087372.tif 000013
【図１２】
2005087372.tif 000014
【図１３】
2005087372.tif 000015
【図１４】
2005087372.tif 000016
【図１５】
2005087372.tif 000017